(57)【特許請求の範囲】
【請求項１】
一の端部が末広がりの煙突状で他の端部（１２）が前記一の端部よりも狭く形成された袋（１）を有し、
前記袋（１）は前記袋（１）の内部に尿もしくは便および前記袋（１）をすすぐ水が流すことができるように２枚のシートを接着して形成され、
前記袋（１）の他の端部において結合されると共に蓋（４）を有する下方頂部（２）と、
前記下方頂部（２）と貼り合わせられると共に蓋（８）を有する上方頂部（６）と、
前記下方頂部（２）および前記上方頂部（６）に形成されると共にスリットを備え、前記スリットが尿もしくは便および前記袋（１）をすすぐ水によって閉じた状態から開いた状態になると共に前記スリットの復元力によって前記スリットが開いた状態から閉じた状態には自動的になる自動閉鎖蓋（５）と、
前記上方頂部（６）に連結されると共に蓋（８）と連結されて前記蓋（８）を腹部または背中に貼り付けることによって前記袋（１）の持ち運びを可能とする持ち運びストラップ（７）と、
前記下方頂部（２）に連結されると共に蓋（４）と連結されて前記持ち運びストラップ（７）と共に前記袋（１）の持ち運びを可能とする持ち運びストラップ（３）と、
前記蓋（４）と前記蓋（８）とのシート間から、前記持ち運びストラップ（３）と前記持ち運びストラップ（７）とのシート間を通り、前記上方頂部（６）と前記下方頂部（２）とのシート間にまで形成されたすすぎ溝（９）および皮膚用の軟膏溝（１０）と、を有し、
尿若しくは便及び前記すすぎ溝（９）から入った水は、前記自動閉鎖蓋（５）の前記スリットを開いて前記袋（１）の内部に入る、便失禁用収集袋。
【請求項２】
前記上方頂部（６）又は前記下方頂部（２）は透明であり、
前記上方頂部（６）又は前記下方頂部（２）の接着表面は感光性接着剤で構成され、
透明でないカバーシート（１３）及びカバーシート（１４）によって保護される請求項１に記載の収集袋。
【請求項３】
前記上方頂部（６）は開口部（６２）を備え、
前記自動閉鎖蓋（５）は、前記開口部（６２）に取り付けられる分離シート（６３）でできており、
前記分離シート（６３）は前記開口部（６２）の縁部（６１）に溶接又は接着されている請求項１に記載の収集袋。
【発明の詳細な説明】
【技術分野】
【０００１】
１．技術分野
上記に記載の発明は糞便又は尿の失禁をおこす患者のためのものである。収集袋の形状をした補助装置は肛門の周囲の皮膚に接着され、適切で皮膚にやさしい樹脂でできている。
【０００２】
収集袋は、両端部に開口部を有する、簡易で煙突のような袋として設計されている。上記端部は簡易的にシールされている。
【０００３】
上記デザインは糞便との直接的な接触を排除又は実質的に減少させるため、雑菌が混入する危険性を低減させる。
【０００４】
上記収集袋には水を用いたすすぎ、軟膏の塗布、及び臭気の除去を行うための溝が設けられている。
【０００５】
上記デザインによれば収集袋を数日間連続して使用することができる。
【０００６】
上記収集袋は何等の修正も必要とせずに糞便失禁を患う男性患者、女性患者のいずれにも使用することができる。上記収集袋は、いくらかのわずかな修正によって、尿失禁用に使用することができる。
【０００７】
考えられる他分野での使用は、月経時や出産時の大量の出血である。
【背景技術】
【０００８】
２．背景技術
現在の一日用収集袋は、通常使用後に捨てられるか破棄される一回使い捨てのものである。上記収集袋は一端部でのみシールがされている。これは雑菌混入の危険性を増加させ、糞便の非衛生的な取り扱いへとつながってしまう。
【０００９】
以前に知られている糞便失禁のための収集袋には、以下のようなものがある。
【００１０】
２００９年２月に公開された国際公開ＷＯ２００９／０２１５２０では、袋を空にするオプションを備えた数日間使用する収集袋が構成されている。上記装置では衛生的な方法で内容物を取り扱うためにシールすることができない。上記装置は、袋をすすぐ能力、及び皮膚の取り扱いのために軟膏を塗布する能力のいずれも欠いている。
【００１１】
２００６年９月５日の米国特許７１０１３５７号には、再使用できない、一回使用の収集袋が開示されている。
【００１２】
衛生的な方法で内容物をシールし、及び処理することは全くできない。
【００１３】
１９９７年１月１４日登録の米国特許５５９３３９７号明細書には従来型の収集袋が開示されている。その袋は、即座に袋を空にして、再使用することが全くできない。使用後に袋をシールすることは全くできない。衛生的な方法で袋を運ぶ能力も欠けている。
【００１４】
１９８４年に登録された米国特許４４４５８９８号明細書には、上記と同様の欠点を有する収集袋に類似したものが開示されている。
【００１５】
これらの袋は、従来型のシール手段を使用している。
【００１６】
収集袋の偶然の漏れを防止するために、患者に不快な思いをさせずに取り外すことが比較的困難な種類の接着剤又は粘着剤が使用されている。
【発明の概要】
【００１７】
３．上述した発明の概要
上述した本発明に係る、糞便失禁を患う患者のための収集袋は、一日または数日間使用できる単一で、シールができ、洗濯も可能な袋を提供するために設計されている。さらに、当該袋は、乾燥及び患者へのスキンケア製品の塗布をも許容する。
【００１８】
長尺の収集袋は、男性にも女性にも使用できるように設計されている。若干修正すれば、尿失禁用に使用することもできる。
【００１９】
使用後に、袋は容易にシールでき、衛生的な方法で使い捨てにするか再使用することができる。
【００２０】
本発明において感光性の接着剤の使用は、患者の体から痛みを伴わずに収集袋の取り外しを許容する。
４．発明の簡潔的な記載
特許請求の範囲に記載される本発明は、上述した従来技術の欠点を一掃するであろう。
【００２１】
収集袋は、スリットが設けられ、接着剤又は粘着材により被覆された、閉じ込めるための頂部を含む。閉じ込めるための頂部は、長尺で一端部が末広がりの煙突状で他端部が一端部よりも狭く形成された収集袋と共に接合されている。当該袋は他端部を折り畳むことによって閉じられる。
【００２２】
スリットが設けられた頂部の外周の一部は、スリットの設けられた頂部のシールを意図して、適切な長さの持ち運びストラップによって、同様の大きさの蓋（スリットは設けられていない）に接続されている。
【００２３】
接続部と蓋の部分には、水ですすいだり、熱風で乾燥させたり、皮膚の軟膏塗布のための溝が設けられている。
【００２４】
接触時に皮膚に優しい接着剤が載置すると、この接着剤は肛門開口部の周囲に効果的なシールを形成することを目的とする。
【００２５】
本発明で使用される接着手段は、感光性の接着剤又は粘着剤からなっており、照明後、接着能力を失い、患者の皮膚から痛みを伴わず、メスなしで袋を解放する。
【００２６】
蓋には、わずかに低い接着能力をもった皮膚に優しい接着剤が付けられている。
【００２７】
収集袋における衛生的で安全な汚物の除去を行うために、スリットの設けられた頂部をシールするための蓋が使用される。
【００２８】
本発明のもうひとつの目的は、体に取り付けることができる収集袋を提供することである。袋のデザイン、弾性コンプライアンス、拡張性は、配置及び除去の際に患者に痛み又は不快な思いをさせることなく、使用時に固くしまっていることを意図している。
【００２９】
他の特徴は、水でのすすぎ、温風での吹き付け、皮膚用の軟膏の塗布のために溝が設けられていることである。
【００３０】
水でのすすぎのための溝は、脱臭フィルターを使用して無臭のガス換気のために使用することもできる。
【００３１】
さらに本発明の目的は、収集袋を提供し、それによりスリットの設けられた頂部がいかなる調節も必要とせずに男性または女性患者のいずれにも自動的にフィットすることであろう。
【図面の簡単な説明】
【００３２】
５．図面の簡単な説明
本発明は、例として添付図面を参照してさらに記載される。
【図１】図１は、プラスチックのクリップと共に用いられ、底部において持ち運びストラップ及びシールを備えた煙突形状の収集袋の斜視図である。頂部において蓋は閉じられている。蓋は水又は空気によるすすぎと皮膚用の軟膏の塗布との関連性を強調する。
【００３３】
また図では、皮膚用の軟膏の溝のための脱臭フィルター及びシール用コーンが開示されている。
【図２】図２はスリットの設けられた頂部と持ち運びストラップとが開いた位置で初期適用前での収集袋を示す斜視図である。図２は他端部が折り畳まれた収集袋についても示している。
【図３】図３は、プラスチッククリップを共に用いて、収集袋がシールされた状態での底部を示す側面図である。
【図４】図４は収集袋を示す正面図である。
【図５】図５は、熱シール、ボンド、または接着剤で調合され、折り畳まれた収集袋の壁を示す側面図である。
【図６】図６は、収集袋の構成要素（煙突状の袋、スリットの設けられた頂部、持ち運びストラップ、及び蓋）を示す斜視図であり、構成要素は特定のパターンにより溶接あるいは接着され、水によるすすぎ、温風による吹き付け、及び皮膚用軟膏の塗布用の溝を形成する。
【図７】図７は、収集袋とその構成要素の変形例の一つを示す斜視図である。
【図８】図８は、持ち運びストラップと説明する全ての溝を備えたスリットの設けられた頂部を示す図である。
【図９】図９は、スリットの設けられた頂部の蓋が影響を受けない状態において当該蓋を示す詳細断面図である。
【図１０】図１０は、スリットの設けられた頂部の蓋が水又は空気の圧力にさらされ、影響を受ける状態における当該蓋を示す詳細断面図である。
【図１１】図１１は、スリットの設けられた頂部及び当該頂部の蓋のそれぞれが溶接または接着された接合部分を示す上方からの図である。
【図１２】図１２は、スリットの設けられた頂部、持ち運びストラップ、及び蓋の変形例を示す上方からの図である。
【図１３】図１３は、影響を受けない状態におけるスリットの設けられた頂部の蓋を示す代替的な図である。
【図１４】図１４は、スリットの設けられた頂部が水又は空気の圧力にさらされ、影響を受ける状態において、スリットの設けられた頂部の蓋のピークのデザインを示す代替的な図である。
【図１５】図１５は、スリットの設けられた頂部の蓋及び各々の溶接又は接着点を示す上方からの部分的な図である。
【図１６】図１６は、男性患者に密着させた収集袋の頂部を示す図である。
【図１７】図１７は、女性患者に密着させた収集袋の頂部を示す図である。
【図１８】図１８は、収集袋を空にする、及びすすぐ様子を示す図である。
【図１９】図１９は、男性患者の腹部に接着された収集袋を示す図である。
【図２０】図２０は、女性患者の腹部に接着された収集袋を示す図である。
【発明を実施するための形態】
【００３４】
好ましい実施形態の選択肢
次に、本発明に係る収集袋の好ましい実施形態について初めに図１を参照して説明する。
【００３５】
以下の文は便失禁のための収集袋の使用に関する言及であるが、本発明は尿失禁のための当該袋の使用に関するものでもある。
【００３６】
図１は、袋が患者から取り外された後に、適切な位置での便又は尿のための収集袋を示す。袋１は、蓋８によってしっかりとシールされている。袋の頂部と袋の蓋４、８との間の適切なストラップは、再使用のために収集袋を空にし、及び考えうる取り扱いのために袋を簡便で円滑な取り外しを行うために、自然に持ち運びハンドルを形成する。
【００３７】
使用した収集袋の中身を空にする際に、ユーザーは袋の他端部１２と外部の放出パイプのコーン（不図示）に接続する。放出パイプは閉じた収集容器に接続されている。袋の他端部１２に設置されているプラスチッククランプＫが取り外され、脱臭フィルターＦも取り外される。フィルターの煙突状の溝開口部９１は、洗浄水の供給を可能にする水パイプＶＬに接続される。洗浄水は殺菌剤を含んでいてもよい。すすぎ後、同じ溝は袋及び皮膚の温風による乾燥のためにホースに接続するために使用することができる。
【００３８】
上記工程は、何個かの袋を同時に空にする工程と関連付けて多重にすることができる。医療従事者の匂いや汚れ等への汚染は最小化され、感染の危険性は適切な使用により完全に排除される。
【００３９】
図２は斜視図を示し、スリットの設けられた下方頂部２と、持ち運びストラップ３と、蓋４とが開いた位置であり、袋が使用のために患者に付けられる前の状態を示している。この場合において収集袋は、本発明の最も単純な実施、すなわちすすぎ用の溝がない袋を示している。図では、反転した他端部１２を有する接続端部についても示している。他端部１２は、放出パイプあるいは水パイプＶＬと頑丈にしっかりと嵌め合い接続されている。
【００４０】
他端部１２には、包囲された空気又は気体のセルを有する、プラスチック状のスポンジの小プラグＳがまず載置され、その後、他端部１２が上方に折り畳まれ、きつめにシールを形成するためにスポンジの上で押し潰されるようにプラスチッククランプＫによって固定される。
【００４１】
図３はプラスチッククリップがプラスチックの袋にどのように付けられるかについて示している。
【００４２】
また、図３は、図４及び図５に図示される溶接面または接着面１１を通じて収集袋のプラスチック側面１と溶接又は接着することによりできた収集袋上のひだ状の部分１３をも示している。
【００４３】
収集袋の特別なデザインにより、当該袋は患者の前方、後方それぞれに１８０度折り畳むことができる。上述した特性は、袋が蓋４、代替的に蓋８により使用され、患者の背中に接着されることを許容する。同一の蓋は、図１９に示す男性及び図２０に示す女性のように、患者の腹部に貼ることができる。医療従事者が図１８に示すような患者の世話をしている際に、背中に貼られた蓋が現れる。患者が便又は尿の袋を空にしたいと思う際に、腹部に接着された蓋は使用される。
【００４４】
図６は、収集袋の構成部品を示す。当該袋は、適切な熱可塑性フィルムでできた２枚の偏平なシートからできており、シートの外側部１１は頂部２（後に下方頂部と言う）の周辺に対して互いに熱シール、溶接、又は接着されている。
【００４５】
下方頂部２には、スリットが設けられており、下方の持ち運びストラップ３を通じて下方の蓋４と接続されている。
【００４６】
この方法により設計された袋は、一日での使用に適している。下方頂部２または下方の蓋４上の接着剤を適切に取り替えた後、後の再使用のために袋はシールされ、選ぶことができ、すすぐことができる。
【００４７】
図６における収集袋は同一の袋を示しているが、当該袋の下方頂部２には、図８に従って下方頂部２、持ち運びストラップ３、蓋４に熱シール、溶接、又は接着された、付加的で、同一の第１頂部６（後に上方頂部と呼ばれる）と、上方の持ち運びストラップ７及び上方の蓋８とが与えられる。
【００４８】
下方頂部２、持ち運びストラップ３、蓋４と上方頂部６、持ち運びストラップ７、蓋８とを（図８に示す）点線に沿って接続することによって、円錐状の接続部９１を有するすすぎ溝９と円錐状の接続部１０１を有する軟膏溝１０とが形成される。両方の溝は頂部の蓋５の周囲に伸延する。軟膏溝１０は穴１０２を通じてすすぎ後の適切な皮膚用軟膏を塗布するために使用することができる。
【００４９】
すすぎ溝９は、最外縁部５２において下方頂部２にスポット溶接又は接着された開口部５３と共に途切れている。上方頂部６は、同一の複数の自動閉鎖蓋５と共に嵌め合いになっており、それらの外周５１では下方頂部２と共に熱シール、溶接、又は接着されている。
【００５０】
図９は影響を受けない状態における蓋を通る１−１線での断面図である。
【００５１】
図１０はすすぎ時での同一の蓋を示す１２−１２線での断面図である。水が自動閉鎖する蓋５に対してすすぎ溝９を通じて流れる際に、水が皮膚上に流れ、これにより患者を十分に洗えるように、水圧が蓋開口部５３を開くであろう。
【００５２】
すすぎ後に、温風が同一のすすぎ溝９を通過し、これにより患者を乾燥させる。その後、皮膚用の軟膏を軟膏溝１０及び開口部１０２を通じて患者に塗布することができる。
【００５３】
上述した手順により、患者は同一の収集袋を数日間使用することができる。
【００５４】
図７は、収集袋の頂部における代替的なデザインを示し、すなわち上方頂部の縁部６１にはスリットが設けられた付加的な分離シート６３が補充されている。
【００５５】
上方頂部の縁部６１には、スリットが設けられた分離シート６３で覆われた開口部６２が設けられている。図１２は、上部から見たスリットの設けられた分離シート６３を示している。
【００５６】
分離シート６３における複数の蓋は、下方頂部２における複数の蓋に類似しており、その縁部６１は互いに熱シール、溶接、又は接着されている。
【００５７】
分離シート６３は、複数の点５４を通じて上方の蓋の縁部６１に固定されている。上方頂部の開口部６２は、図１３及び図１４に示すように、点５２を通じて下方頂部２に取付けられている。
【００５８】
上記複数の図面では、下方の頂部２の底面に貼り付けられた光を制限するシート１３が示されている。シート１３は、下方の頂部２また上方の頂部６に塗布された感光性接着剤を保護する。
【００５９】
患者から収集袋を取り外す前に、光制限シート１３は、下方の頂部の底面から第１に取り外される。
【００６０】
その後、上方頂部６の表面に付着した皮膚は、適切な光源により数秒間照らされ、その後、収集袋は痛みを伴わずに解放され、その後下方の蓋４又は上方の蓋８によりシールすることができる。
【００６１】
図１３と図１４は、全体を覆う、又は小さい部分に分割され、上方頂部６、上方の持ち運びストラップ７、及び上方の蓋８のための接着剤保護を提供するシート１４についても示している。
【００６２】
シート１４は透明でない材料でできており、頂部、持ち運びストラップ、及び蓋上において上述した接着剤の塗装膜から容易に除去できるワックス、シリコン、又は類似した塗装膜で覆われている。
【００６３】
シート１４は、最も簡単方法により収集袋に貼り付けられ、下方頂部２、下方の持ち運びストラップ３、及び下方の蓋４は収集袋に結ばれている。シート１４は、接着剤が光から保護されることを維持するために、追加の分離シート６３を有する収集袋にも貼り付けられる。
【００６４】
各頂部での良好な接着により。下方頂部２又は上方頂部６上の接着面の交換が迅速にできるように、一側面には、分離した、リング形状で、多孔質、かつ透明のシート１５に感光性の接着剤が貼り付けられ、他方の側面にはより強力な接着剤が貼り付けられてもよい。シート１５は、図９、図１０、図１３、及び図１４にそれぞれ示されている。
【００６５】
すすぎ溝９を通じて作用する水又は空気圧が自動閉鎖蓋５に影響を与える場合、追加の分離シート６３を通じて、収集袋の頂部及び患者の体に対する接着剤の接触位置において、水の噴流を皮膚に対して制御できる。
【００６６】
水の噴流は、それゆえに皮膚の表面のあらゆる部位をすすぐ点において効果的であろう。すすぎ後に皮膚は温風を使用して乾燥され、温風は同一の水又は空気のすすぎ溝９を通じて吹く。
【００６７】
乾燥した皮膚には管Ｔから皮膚用の軟膏により手当てがなされ、軟膏溝１０及び開口部１０２を通じて分布する。
【００６８】
上述した治療は、医療従事者が上記の手順を実行するか、又は患者が上記手順を自分自身で実行するかに関わらず、良好で、衛生的、かつ健全な患者の治療を確保する。
【００６９】
収集袋が男性及び女性の患者のいずれにも調節せずに使用することができるように、収集袋のスリットの設けられた自動閉鎖蓋５は、袋の上方頂部６上に配置されている。  
【００７０】
図１６は、男性患者に関する収集袋の患部の後方の蓋５を示す。
【００７１】
図１７は、女性患者に関する収集袋の患部の前方の蓋を示す。
【００７２】
収集袋の別の特徴は、上方の蓋８の円錐状の溝開口部９１に取り付けられた交換式の脱臭フィルターＦの存在である。
【００７３】
収集袋は、適切な熱可塑性フィルム又は積層膜でできていてもよい。
【００７４】
本発明及びいくつかの変形例について説明するために、上記にて本発明について詳細に記載したため、当業者には本発明の範囲において上述した細部の多くを変形してもよいことが明らかであるだろう。
【図１】
0005735529.tif 000002
【図２】
0005735529.tif 000003
【図３】
0005735529.tif 000004
【図４】
0005735529.tif 000005
【図５】
0005735529.tif 000006
【図６】
0005735529.tif 000007
【図７】
0005735529.tif 000008
【図８】
0005735529.tif 000009
【図９】
0005735529.tif 000010
【図１０】
0005735529.tif 000011
【図１１】
0005735529.tif 000012
【図１２】
0005735529.tif 000013
【図１３】
0005735529.tif 000014
【図１４】
0005735529.tif 000015
【図１５】
0005735529.tif 000016
【図１６】
0005735529.tif 000017
【図１７】
0005735529.tif 000018
【図１８】
0005735529.tif 000019
【図１９】
0005735529.tif 000020
【図２０】
0005735529.tif 000021